(57)【要約】      （修正有）【課題】施工にかかる手間とコストの低減が可能な雨水貯留浸透槽を提供する。【解決手段】雨水貯留浸透槽は、地表面ＧＬ以下に設けられるものであって、貯留部２の上面の一部を貫通しつつ、貯留部２の底部に他端側１４が設置される管状部１０を備えており、管状部１０の一端側１２が点検口１１として、蓋体１５が設置される。管状部１０の底部には逆Ｕ字状の開口部１７が設けられ、管状部１０の側壁には、その内側から外側にかけて貫通する貫通孔１６が複数設けられる。【選択図】図２
0003227025.tif 000002
【実用新案登録請求の範囲】
【請求項１】
地表面以下に設けられる雨水貯留浸透槽であって、
貯留部の上面の一部を貫通しつつ、前記貯留部の底部に他端側が設置される管状部を備え、
前記管状部の一端側が点検口として、蓋体が設置されることを特徴とする雨水貯留浸透槽。
【請求項２】
前記管状部の底部には逆Ｕ字状の開口部が設けられることを特徴とする請求項１に記載の雨水貯留浸透槽。
【請求項３】
前記管状部の側壁には、
その内側から外側にかけて貫通する貫通孔が複数設けられることを特徴とする請求項２に記載の雨水貯留浸透槽。
【請求項４】
前記管状部の上部には、蓋体を設置するための受口が設けられることを特徴とする請求項３に記載の雨水貯留浸透槽。
【請求項５】
前記貫通孔は、前記側壁において前記貯留部の上端部よりも下方に設けられていることを特徴とする請求項３または４のいずれか１項に記載の雨水貯留浸透槽。
【考案の詳細な説明】
【技術分野】
【０００１】
本考案は、雨水貯留浸透槽に関する。
【背景技術】
【０００２】
近年、大雨が降った際に、下水道施設や河川に多量の排水が流れ込むのを防ぐ目的で、その排水の一部を逃がすための雨水流出抑制施設（いわゆる、雨水貯留浸透槽という）が、設けられるようになってきている（例えば、特許文献１および特許文献２）。
【０００３】
ここで、雨水貯留浸透槽とは、例えば、地表面から１ｍ程度掘り下げた位置に雨水の貯留槽を形成しつつ、集中豪雨等により発生する雨水の一部をこの貯留槽から徐々に地面に浸透させる構造物等を指す。
【０００４】
ところで、特許文献１には、貯留部に堆積した砂や汚泥をバキューム等で除去しつつ、その内部を洗浄できるよう、柱部材に対して傾斜させるとともに、その底面において雨水等の誘導が可能な凹窪部を備える傾斜板材を設置させ、この凹窪部には、点検口の点検筒を連通させていることが開示されている。
【０００５】
また、特許文献２には、清掃作業時の残留雨水を排水できるよう、入水口部から排水口部に雨水Ｗを案内するとともに、雨水に含まれる土粒などを沈殿させるＵ字溝を備え、Ｕ字溝よりも高い位置に設けられたオリフィス管より低い位置に残留している雨水を自動的に排出させるためのフィルターと、有孔排水管と、排水層と、が設けられていることが開示されている。
【先行技術文献】
【特許文献】
【０００６】
【特許文献１】特開２００３−２０１７２２号公報
【特許文献２】特開２００８−１３８３７４号公報
【考案の概要】
【考案が解決しようとする課題】
【０００７】
しかしながら、特許文献１や特許文献２の構成にあたっては、貯留部と、点検口を備える点検筒とは、隣接させて複数個設置させている点で、その設置にかかる設置容積を確保しなければならず、土の掘り返し量が多くなると共に、埋め戻し用の土以外は、その廃棄が問題となる。
従って、従来の雨水貯留浸透槽の施工には手間とコストが必要であった。
【０００８】
本考案は上記の課題に鑑みてなされたものであり、その目的は、施工にかかる手間とコストの低減が可能な雨水貯留浸透槽を提供することである。
【課題を解決するための手段】
【０００９】
前記課題を解決するために、本考案にかかる雨水貯留浸透槽は、以下の特徴を有する。
【００１０】
（１）本考案にかかる雨水貯留浸透槽は、地表面以下に設けられるものであって、貯留部の上面の一部を貫通しつつ、前記貯留部の底部に他端側が設置される管状部を備えており、前記管状部の一端側が点検口として、蓋体が設置されることを特徴とする雨水貯留浸透槽。
【００１１】
（１）の構成によれば、貯留部の一部に点検口を有する管状部が設置される。そのため、点検口を構成する点検筒を、貯留部とは別に設ける必要が無い。ともすれば、貯留部の設置可能な空間だけ掘り返せばよく、雨水貯留浸透槽の施工を容易にでき、かつ廃棄にかかる土を減らすことができる。
従って、施工にかかる手間とコストの低減が可能な雨水貯留浸透槽を提供することができる。
【００１２】
（２）（１）にかかる雨水貯留浸透槽において前記管状部の底部には逆Ｕ字状の開口部が設けられることが好ましい。
【００１３】
（２）の構成によれば、この開口部を経由して、点検口から挿入させた洗浄ノズルや点検ノズルといった維持管理器具を貯留部に届けることができる。
【００１４】
（３）（２）にかかる雨水貯留浸透槽において、前記管状部の側壁には、その内側から外側にかけて貫通する貫通孔が複数設けられることが好ましい。
【００１５】
（３）の構成によれば、複数の貫通孔を介して、貯留部内の雨水の流通を阻害することがない。加えて、貯留部内に雨水が貯留されていくに際し、管状部内から空気を逃がすことができる。これにより、管状部内に空気が溜まることがなく、不意の蓋体の離脱を防止できる。
【００１６】
（４）（３）にかかる雨水貯留浸透槽において、前記管状部の上部には、蓋体を設置するための受口が設けられることが好ましい。
【００１７】
（４）の構成によれば、点検口を塞ぐ蓋体の設置が容易である。
【００１８】
（５）（４）にかかる雨水貯留浸透槽において、前記貫通孔は、前記側壁において前記貯留部の上端部よりも下方に設けられていることが好ましい。
【００１９】
（５）の構成によれば、貫通孔が地表部から貯留部にかけて設けられていた場合には、当該貫通孔から土砂の侵入が考えられるが、これを防止できる。
【考案の効果】
【００２０】
以上、説明したように本考案にかかる雨水貯留浸透槽によれば、施工にかかる手間とコストの低減が可能な雨水貯留浸透槽を提供することができる。
【図面の簡単な説明】
【００２１】
【図１】本考案にかかる雨水貯留浸透槽１を模式的に示す図面である。
【図２】雨水貯留浸透槽１の作用効果を模式的に説明する図面であって、（Ａ）は雨水貯留の初期段階を示すものであり、（Ｂ）は雨水貯留の中間段階を示すものである。
【図３】本考案にかかる管状部の変形例１を示す図面である。
【図４】本考案にかかる管状部の変形例２を示す図面である。
【図５】本考案にかかる管状部の変形例３を示す図面である。
【考案を実施するための形態】
【００２２】
以下、本考案を実施するための形態を図面に基づいて説明する。なお、以下に示す実施形態は、考案の趣旨をより良く理解させるためのものであり、特段指定のない限りは、本考案を限定するものではない。また、各図面は本考案の特徴を分かりやすくするために示すものであり、各構成要素の寸法比率などが、実際のものと同一であるとは限らない。
【００２３】
＜実施形態＞
第１実施形態にかかる雨水貯留浸透槽１を、図１を用いて説明する。図１は、本考案にかかる雨水貯留浸透槽１を模式的に示す図面である。
【００２４】
（雨水貯留浸透槽１の構成）
雨水貯留浸透槽１は、大雨が降った際に、一度、雨水の貯留を行った後、適宜雨水を地面に浸透させるための槽である。
図１に示すように、本実施形態における雨水貯留浸透槽１は、例えば、地面（すなわち地表面）ＧＬ下に埋設される貯留部２と、地面ＧＬに設けられる点検口１１を備える管状部１０と、から構成される。
【００２５】
貯留部２は、特許文献１の図５に記載されているような、一つのユニット部３が（例えば、同図中の紙面）縦方向、横方向、奥行き方向にそれぞれ複数積層されてなり、雨水の一時的な貯留が可能である。
なお、本実施形態の貯留部２は、縦３個、横３個、不図示の奥行きで構成されているが、これに限定されることはなく、所望とする貯留容量に合わせて、その数を変更してもよい。
【００２６】
貯留部２の一部には、上方から下方にかけて管状部１０の貫通設置が可能となるよう、その設置部が設けられている。
【００２７】
ユニット部３は、上面４、下面５、および上面４と下面５とを所定の間隔となるよう離間する柱６から構成される。
ユニット部３の各部材は、それぞれ樹脂によって形成されている。
【００２８】
管状部１０は、一端側（上端１２）に設けられる点検口１１と、貯留部２の底部に設置可能な多端側（下端１４）と、上端１２から下端１４に至る管状の側壁１３と、貫通孔１６から構成される。
【００２９】
点検口１１には、点検時や清掃時に所定の維持管理器具等の挿入が可能であって、通常時は蓋体１５が設置される。
【００３０】
下端１４側には、点検時のカメラや清掃時の掃除ノズルの挿脱が可能となる逆Ｕ字状の開口１７が設けられる。
なお、本実施形態の開口１７の位置は、下端１４側に一つ設けているが、これに限定されることなく、貯留部２内において所望とする場所に維持管理器具を挿通させやすくするために、複数設けてもよい。
【００３１】
貫通孔１６は、内壁から外壁に至り貫通する円形の孔である。
貫通孔１６は、管状部１０の側壁１３に対して複数設けられる。
本実施形態でいえば、図１に示したように貫通孔１６は、管状部１０の所定の高さ位置に対して、周方向で所定の周期で設けられている。さらに、この周期は、例えば、一つ上のレイヤーと一つ下のレイヤーとが、管軸方向交互に互い違いに並んで設けられている。
【００３２】
以上説明した、本実施形態の雨水貯留浸透槽１の作用効果について、図２を用いて説明する。図２は、雨水貯留浸透槽１の作用効果を模式的に説明する図面であって、（Ａ）は雨水貯留の初期段階を示すものであり、（Ｂ）は雨水貯留の中間段階を示すものである。
【００３３】
貯留部２には、不図示の雨水流入口が設けられており、この流入口から雨水が貯留部２内に流れ込むようになっている。そこで、雨天時には、先ず図２（Ａ）に示したように、貯留部２内の底部に徐々に雨水が溜まっていく。その後も、図２（Ｂ）に示したように、貯留部２内を満たすように増水していくが、この時、雨水は開口１７から管状部１０内にも溜まっていく。
そこで、管状部１０の貫通孔１６からは、この管状部１０内の空気が、貯留部２内に逃げることができる。言い換えると、管状部１０に貫通孔を設けていなかった場合であれば、雨水の増水に従い、逃げ場を失った空気が管状部１０と蓋体１５によって形成される空間中に、圧縮されていき、所定の圧を超えた段階で、蓋体１５が外れてしまう恐れがあった。これに対して、貫通孔１６は、空気を貯留部２内に拡散させることが可能である。
また、貫通孔１６は、貯留部２内の水の行き来をしやすくさせる。例えば、一部土砂等によって、入り口が塞がれていたとしても、この貫通孔１６を介して、貯留部２内水の移動が可能になる。すなわち、貫通孔１６は、貯留部２内での排水の流通を可能にできる。
【００３４】
＜変形例１＞
本変形例を、図３を用いて説明する。図３は、本考案にかかる管状部の変形例１を示す図面である。
本変形例の管状部１１０は、側壁１１３に設けられる貫通孔１１６の位置が実施形態の管状部１０に対して相違している。
より具体的には、図３に示すように、貫通孔１１６は、貯留部１０２の上端から下端の間に設けられている。
それは、貯留部１０２の上端から地面ＧＬとの間の部分が緩かったり、砂利だったりと、流動性が高い地質であった場合には、雨天時等にそれらの土砂が貫通孔１１６を通じて、貯留部１０２に内に流れ込むことを防止するための構成である。
従って、貫通孔を地面ＧＬから貯留部にかけて設けた場合に比して、土砂等の侵入を防止できる。
なお、本変形例において、貫通孔１１６は２レイヤーのみとしているが、貯留部１０２の上端から下端であれば、適宜その数を増減させてもよい。
【００３５】
＜変形例２＞
本変形例を、図４を用いて説明する。図４は、本考案にかかる管状部の変形例２を示す図面である。
上記実施形態においては貫通孔１６が、一つ下のレイヤーとその上のレイヤーとが交互に並ぶ例を説明した。
ここで、本変形例の管状部２１０においては、上下に離間した、複数の貫通孔からなるレイヤー、すなわち第１のレイヤー２１６Ａと第２のレイヤーとが、管軸方向に対して配列するように設けられている点で、実施形態の貫通孔１６とは相違する。
【００３６】
より具体的には、図１に示したように実施形態の貫通孔１６は、上のレイヤーと下のレイヤーとで、交互にずれている。これに対し、本変形例では管軸方向で一致している。
従って、第１のレイヤー２１６Ａと第２のレイヤー２１６Ｂ貫通孔の成形加工時において、貫通孔具を固定し、管状部２１０を管軸方向にずらしていくだけで貫通孔の加工が可能であって、成形を容易にできる。
【００３７】
＜変形例３＞
本変形例を、図５を用いて説明する。図５は、本考案にかかる管状部の変形例３を示す図面である。
本変形例の管状部３１０は、一端側３１２に蓋体の取り付けが容易となるよう受口３１８が設けられている点で、実施形態の管状部１０とは相違する。
従って、管状部３１０を用いることにより、蓋体の取り付けが容易となる。
【符号の説明】
【００３８】
１・・雨水貯留浸透槽、２・・貯留部、３・・ユニット、４・・上面、５・・下面、６・・柱、１０・・管状部、１１・・点検口、１２・・一端側、１３・・側壁、１４・・多端側、１５・・蓋体、１６・・貫通孔、１７・・開口
ＧＬ・・・地面（地表面）
【図１】
0003227025.tif 000003
【図２】
0003227025.tif 000004
【図３】
0003227025.tif 000005
【図４】
0003227025.tif 000006
【図５】
0003227025.tif 000007